【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
無線通信システムで送信端装置において、
フィードバックされるインデックスに対応するシーケンスを、第１マッピングパターンを利用して高速フィードバックチャネル内の資源ブロックの第１集合にマッピングし、第２マッピングパターンを利用して高速フィードバックチャネル内の資源ブロックの第２集合にマッピングする複数のマッピング器と、
前記複数の資源ブロックの集合にマッピングされた前記シーケンスを伝送する送信器と、を含み、
前記シーケンスは、前記複数の資源ブロックの集合それぞれにマッピングされ、
前記シーケンスの各要素は各資源ブロックにマッピングされ、
前記第１マッピングパターンによる前記シーケンスの要素のマッピング手順は、前記第２マッピングパターンによる前記シーケンスの要素のマッピング手順と相異であり、
前記資源ブロックの第１集合及び前記資源ブロックの第２集合は、予め決められた互いに同じ個数の資源ブロックを含み、
前記資源ブロックの第１集合は、前記高速フィードバックチャネル内で、前記資源ブロックの第２集合と異なる位置に存在することを特徴とする装置。
【請求項２】
前記シーケンスは、すべての可能な信号対間の相関値が閾値以下の値を有するように設計されたシーケンスグループに含まれたシーケンスのうち一つであることを特徴とする請求項１に記載の装置。
【請求項３】
前記シーケンスは、予め定義された候補のうち一つで決定され、
前記予め定義された候補は、「１１１１１１１１１１１１」、「１０１１１１０１０１１０」、「０１１０１０１１１１０１」、「００１０１００１０１００」、「１０１０１０１０１０１０」、「１１１０１０００００１１」、「００１１１１１０１０００」、「０１１１１０００００１」、「１１００１１００１１００」、「１０００１１１００１０１」、「０１０１１０００１１１０」、「０００１１０１００１１１」、「１００１１００１１００１」、「１１０１１０１１００００」、「００００１１０１１１０１」、「０１００１１１１００１０」、「１０１０１１１１１１００」、「１１１０１１０１０１０１」、「００１１１０１１１１１０」、「０１１１１００１０１１１」、「１１１１１０１０１００１」、「１０１１１０００００００」、「０１１０１１１０１０１１」、「００１０１１００００１０」、「１００１１１００１１１１」、「１１０１１１１００１１０」、「００００１０００１１０１」、「０１００１０１００１００」、「１１００１００１１０１０」、「１０００１０１１００１１」、「０１０１１１０１１０００」、「０００１１１１１０００１」、「１０１０１１００１００１」、「１１１０１１１０００００」、「００１１１０００１０１１」、「０１１１１０１０００１０」、「１００１１１１１１０１０」、「１１０１１１０１００１１」、「００００１０１１１０００」、「０１００１００１０００１」、「１１１１１００１１１００」、「１０１１１０１１０１０１」、「０１１０１１０１１１１０」、「００１０１１１１０１１１」、「１０１０１００１１１１１」、「１１１０１０１１０１１０」、「００１１１１０１１１０１」、「０１１１１１１１０１００」、「１１１１１１００１０１０」、「１０１１１１１０００１１」、「０１１０１０００１０００」、「００１０１０１００００１」、「１１００１０１０１１１１」、「１０００１００００１１０」、「０１０１１１１０１１０１」、「０００１１１０００１００」、「１００１１０１０１１００」、「１１０１１００００１０１」、「００００１１１０１１１０」、「０１００１１０００１１１」、「１１００１１１１１００１」、「１０００１１０１００００」、「０１０１１０１１１０１１」及び「０００１１００１００１０」を含むことを特徴とする請求項１または２に記載の装置。
【請求項４】
前記シーケンスは、時間軸及びシンボル軸でサイズ６×２の３個の資源ブロックの集合にマッピングされ、
前記資源ブロックの第１集合に対して、周波数軸の第一行で第０要素、第２要素、第４要素、第６要素、第８要素及び第１０要素の順に、周波数軸の第二行で第１要素、第３要素、第５要素、第７要素、第９要素及び第１１要素の順にマッピングされ、
前記資源ブロックの第２集合に対して、周波数軸の第一行で第９要素、第１１要素、第４要素、第０要素、第２要素及び第７要素の順に、周波数軸の第二行で第１０要素、第３要素、第５要素、第１要素、第６要素及び第８要素の順にマッピングされ、
前記資源ブロックの第３集合に対して、周波数軸の第一行で第３要素、第５要素、第７要素、第９要素、第１１要素及び第１要素の順に、周波数軸の第二行で第４要素、第６要素、第８要素、第１０要素、第０要素及び第２要素の順にマッピングされることを特徴とする請求項１乃至３のいずれか１項に記載の装置。
【請求項５】
無線通信システムで受信端装置において、
第１マッピングパターンを利用して高速フィードバックチャネル内の資源ブロックの第１集合にマッピングされ、第２マッピングパターンを利用して高速フィードバックチャネル内の資源ブロックの第２集合にマッピングされたシーケンスを受信する受信機と、
前記シーケンスに対応するインデックスを決定する制御部と、を含み、
前記シーケンスは、前記複数の資源ブロックの集合それぞれにマッピングされ、
前記シーケンスの各要素は各資源ブロックにマッピングされ、
前記第１マッピングパターンによる前記シーケンスの要素のマッピング手順は、前記第２マッピングパターンによる前記シーケンスの要素のマッピング手順と相異であり、
前記資源ブロックの第１集合及び前記資源ブロックの第２集合は、予め決められた互いに同じ個数の資源ブロックを含み、
前記資源ブロックの第１集合は、前記高速フィードバックチャネル内で、前記資源ブロックの第２集合と異なる位置に存在することを特徴とする装置。
【請求項６】
前記シーケンスは、すべての可能な信号対間の相関値が閾値以下の値を有するように設計されたシーケンスグループに含まれたシーケンスのうち一つであることを特徴とする請求項５に記載の装置。
【請求項７】
前記シーケンスは、予め決められた候補のうち一つで決定され、
前記予め決められた候補は、「１１１１１１１１１１１１」、「１０１１１１０１０１１０」、「０１１０１０１１１１０１」、「００１０１００１０１００」、「１０１０１０１０１０１０」、「１１１０１０００００１１」、「００１１１１１０１０００」、「０１１１１０００００１」、「１１００１１００１１００」、「１０００１１１００１０１」、「０１０１１０００１１１０」、「０００１１０１００１１１」、「１００１１００１１００１」、「１１０１１０１１００００」、「００００１１０１１１０１」、「０１００１１１１００１０」、「１０１０１１１１１１００」、「１１１０１１０１０１０１」、「００１１１０１１１１１０」、「０１１１１００１０１１１」、「１１１１１０１０１００１」、「１０１１１０００００００」、「０１１０１１１０１０１１」、「００１０１１００００１０」、「１００１１１００１１１１」、「１１０１１１１００１１０」、「００００１０００１１０１」、「０１００１０１００１００」、「１１００１００１１０１０」、「１０００１０１１００１１」、「０１０１１１０１１０００」、「０００１１１１１０００１」、「１０１０１１００１００１」、「１１１０１１１０００００」、「００１１１０００１０１１」、「０１１１１０１０００１０」、「１００１１１１１１０１０」、「１１０１１１０１００１１」、「００００１０１１１０００」、「０１００１００１０００１」、「１１１１１００１１１００」、「１０１１１０１１０１０１」、「０１１０１１０１１１１０」、「００１０１１１１０１１１」、「１０１０１００１１１１１」、「１１１０１０１１０１１０」、「００１１１１０１１１０１」、「０１１１１１１１０１００」、「１１１１１１００１０１０」、「１０１１１１１０００１１」、「０１１０１０００１０００」、「００１０１０１００００１」、「１１００１０１０１１１１」、「１０００１００００１１０」、「０１０１１１１０１１０１」、「０００１１１０００１００」、「１００１１０１０１１００」、「１１０１１００００１０１」、「００００１１１０１１１０」、「０１００１１０００１１１」、「１１００１１１１１００１」、「１０００１１０１００００」、「０１０１１０１１１０１１」及び「０００１１００１００１０」を含むことを特徴とする請求項５または６に記載の装置。
【請求項８】
前記シーケンスは、時間軸及びシンボル軸でサイズ６×２の３個の資源ブロックの集合にマッピングされ、
前記資源ブロックの第１集合にマッピングされたシーケンスは、周波数軸の第一行で第０要素、第２要素、第４要素、第６要素、第８要素及び第１０要素の順に、周波数軸の第二行で第１要素、第３要素、第５要素、第７要素、第９要素及び第１１要素の順にマッピングされており、
前記資源ブロックの第２集合にマッピングされたシーケンスは、周波数軸の第一行で第９要素、第１１要素、第４要素、第０要素、第２要素及び第７要素の順に、周波数軸の第二行で第１０要素、第３要素、第５要素、第１要素、第６要素及び第８要素の順にマッピングされており、
前記資源ブロックの第３集合にマッピングされたシーケンスは、周波数軸の第一行で第３要素、第５要素、第７要素、第９要素、第１１要素及び第１要素の順に、周波数軸の第二行で第４要素、第６要素、第８要素、第１０要素、第０要素及び第２要素の順にマッピングされていることを特徴とする請求項５乃至７のいずれか１項に記載の装置。
【請求項９】
前記高速フィードバック・チャンネル内のそれぞれの資源ブロック集合から複素要素を抽出する複数の抽出器と、
それぞれの資源ブロックの集合から抽出された複素要素を前記それぞれの資源ブロックの集合のマッピング・パターンによって整列することによって、資源ブロックの集合別のシーケンスを構成する複数の整列器と、
前記資源ブロックの集合別のシーケンス及び候補シーケンスに対する相関演算を通じて送信されたシーケンスを判断するための情報を生成する演算器と、
前記シーケンスを判断するための情報を利用して前記送信されたシーケンスを判断し、前記送信されたシーケンスに対応するコードワードをフィードバック情報として選択する決定器と、を更に備えることを特徴とする請求項５に記載の装置。
【請求項１０】
前記演算器は、前記資源ブロックの集合から抽出されたシーケンスのそれぞれと前記候補シーケンスのそれぞれの相関値を算出する複数の相関器と、
前記相関値のそれぞれの二乗値を算出する複数の二乗器と、を備え、
前記決定器は、同一の候補シーケンスを利用して算出された二乗相関値を合算し、合算結果値のうち最大値を検索した後、前記最大値に対応するシーケンスが送信されたと判断することを特徴とする請求項９に記載の装置。
【請求項１１】
前記演算器は、前記資源ブロックの集合から抽出されたシーケンスを構成する直交副信号列のそれぞれと前記候補直交副シーケンスのそれぞれの相関値を算出する複数の相関器と、
前記直交副シーケンスのそれぞれの相関値を利用して、前記送信されたシーケンスのインデックス組合わせを検出するインデックス検出器と、
前記直交副シーケンスのそれぞれの相関値を利用して、前記送信されたシーケンスに適用された位相差ベクトルを検出する位相差検出器と、を備え、
前記決定器は、前記インデックス組合わせに対応する直交副シーケンスから構成され、前記位相差ベクトルが適用されたシーケンスが送信されたと判断することを特徴とする請求項９に記載の装置。
【請求項１２】
前記インデックス検出器は、前記直交副シーケンスの相関値のそれぞれの二乗値を算出する複数の二乗器と、
同一の位置の直交副シーケンスの二乗相関値のうち同一の候補直交副シーケンスを利用して算出された二乗相関値を合算する複数の合算器と、
前記合算結果値のうち直交副搬送波の位置別の最大値を検索し、前記最大値に対応するインデックス組合わせを確認する検索器と、を備えることを特徴とする請求項１１に記載の装置。
【請求項１３】
前記位相差検出器は、前記直交副シーケンスの相関値と位相差ベクトルとを乗算し、同一の資源ブロックの集合に含まれる相関値を合算する複数の乗算器と、
前記位相差ベクトルと乗算された相関値の和の二乗値を算出する複数の二乗器と、
前記二乗値を合算する合算器と、
使用可能な位相差ベクトルのそれぞれから算出された二乗値の和のうち最大値を検索し、前記最大値に対応する位相差ベクトルを確認する検索器と、を備えることを特徴とする請求項１１に記載の装置。
【請求項１４】
無線通信システムで高速フィードバック・チャンネルによるフィードバック情報の送信方法において、
フィードバックされるインデックスに対応するシーケンスを、第１マッピングパターンを利用して高速フィードバックチャネル内の資源ブロックの第１集合にマッピングし、第２マッピングパターンを利用して高速フィードバックチャネル内の資源ブロックの第２集合にマッピングするステップと、
前記複数の資源ブロックの集合にマッピングされた前記シーケンスを送信するステップと、を含み、
前記シーケンスは、前記複数の資源ブロックの集合それぞれにマッピングされ、
前記シーケンスの各要素は各資源ブロックにマッピングされ、
前記第１マッピングパターンによる前記シーケンスの要素のマッピング手順は、前記第２マッピングパターンによる前記シーケンスの要素のマッピング手順と相異であり、
前記資源ブロックの第１集合及び前記資源ブロックの第２集合は、予め決められた互いに同じ個数の資源ブロックを含み、
前記資源ブロックの第１集合は、前記高速フィードバックチャネル内で、前記資源ブロックの第２集合と異なる位置に存在することを特徴とする方法。
【請求項１５】
前記シーケンスは、全ての可能な信号対間相関値が閾値以下の値を有するように設計されたシーケンスグループに含まれたシーケンスのうち一つであることを特徴とする請求項１４に記載の方法。
【請求項１６】
前記シーケンスは、予め決められた候補のうち一つで決定され、
前記予め決められた候補は、「１１１１１１１１１１１１」、「１０１１１１０１０１１０」、「０１１０１０１１１１０１」、「００１０１００１０１００」、「１０１０１０１０１０１０」、「１１１０１０００００１１」、「００１１１１１０１０００」、「０１１１１０００００１」、「１１００１１００１１００」、「１０００１１１００１０１」、「０１０１１０００１１１０」、「０００１１０１００１１１」、「１００１１００１１００１」、「１１０１１０１１００００」、「００００１１０１１１０１」、「０１００１１１１００１０」、「１０１０１１１１１１００」、「１１１０１１０１０１０１」、「００１１１０１１１１１０」、「０１１１１００１０１１１」、「１１１１１０１０１００１」、「１０１１１０００００００」、「０１１０１１１０１０１１」、「００１０１１００００１０」、「１００１１１００１１１１」、「１１０１１１１００１１０」、「００００１０００１１０１」、「０１００１０１００１００」、「１１００１００１１０１０」、「１０００１０１１００１１」、「０１０１１１０１１０００」、「０００１１１１１０００１」、「１０１０１１００１００１」、「１１１０１１１０００００」、「００１１１０００１０１１」、「０１１１１０１０００１０」、「１００１１１１１１０１０」、「１１０１１１０１００１１」、「００００１０１１１０００」、「０１００１００１０００１」、「１１１１１００１１１００」、「１０１１１０１１０１０１」、「０１１０１１０１１１１０」、「００１０１１１１０１１１」、「１０１０１００１１１１１」、「１１１０１０１１０１１０」、「００１１１１０１１１０１」、「０１１１１１１１０１００」、「１１１１１１００１０１０」、「１０１１１１１０００１１」、「０１１０１０００１０００」、「００１０１０１００００１」、「１１００１０１０１１１１」、「１０００１００００１１０」、「０１０１１１１０１１０１」、「０００１１１０００１００」、「１００１１０１０１１００」、「１１０１１００００１０１」、「００００１１１０１１１０」、「０１００１１０００１１１」、「１１００１１１１１００１」、「１０００１１０１００００」、「０１０１１０１１１０１１」及び「０００１１００１００１０」を含むことを特徴とする請求項１４または１５に記載の方法。
【請求項１７】
前記シーケンスは、時間軸及びシンボル軸でサイズ６×２の３個の資源ブロックの集合にマッピングされ、
前記資源ブロックの第１集合に対して、周波数軸の第一行で第０要素、第２要素、第４要素、第６要素、第８要素及び第１０要素の順に、周波数軸の第二行で第１要素、第３要素、第５要素、第７要素、第９要素及び第１１要素の順にマッピングされており、
前記資源ブロックの第２集合に対して、周波数軸の第一行で第９要素、第１１要素、第４要素、第０要素、第２要素及び第７要素の順に、周波数軸の第二行で第１０要素、第３要素、第５要素、第１要素、第６要素及び第８要素の順にマッピングされており、
前記資源ブロックの第３集合に対して、周波数軸の第一行で第３要素、第５要素、第７要素、第９要素、第１１要素及び第１要素の順に、周波数軸の第二行で第４要素、第６要素、第８要素、第１０要素、第０要素及び第２要素の順にマッピングされていることを特徴とする請求項１４乃至１６のいずれか１項に記載の方法。
【請求項１８】
無線通信システムで高速フィードバックチャネルを介してフィードバック情報を受信する方法において、
第１マッピングパターンを利用して高速フィードバックチャネル内の資源ブロックの第１集合にマッピングされ、第２マッピングパターンを利用して高速フィードバックチャネル内の資源ブロックの第２集合にマッピングされたシーケンスを受信するステップと、
前記シーケンスに対応するインデックスを決定するステップと、を含み、
前記シーケンスは、前記複数の資源ブロックの集合それぞれにマッピングされ、
前記シーケンスの各要素は各資源ブロックにマッピングされ、
前記第１マッピングパターンによる前記シーケンスの要素のマッピング手順は、前記第２マッピングパターンによる前記シーケンスの要素のマッピング手順と相異であり、
前記資源ブロックの第１集合及び前記資源ブロックの第２集合は、予め決められた互いに同じ個数の資源ブロックを含み、
前記資源ブロックの第１集合は、前記高速フィードバックチャネル内で、前記資源ブロックの第２集合と異なる位置に存在することを特徴とする方法。
【請求項１９】
前記シーケンスは、全ての可能な信号対間相関値が閾値以下の値を有するように設計されたシーケンスグループに含まれたシーケンスのうち一つであることを特徴とする請求項１８に記載の方法。
【請求項２０】
前記シーケンスは、予め決められた候補のうち一つで決定され、
前記予め決められた候補は、「１１１１１１１１１１１１」、「１０１１１１０１０１１０」、「０１１０１０１１１１０１」、「００１０１００１０１００」、「１０１０１０１０１０１０」、「１１１０１０００００１１」、「００１１１１１０１０００」、「０１１１１０００００１」、「１１００１１００１１００」、「１０００１１１００１０１」、「０１０１１０００１１１０」、「０００１１０１００１１１」、「１００１１００１１００１」、「１１０１１０１１００００」、「００００１１０１１１０１」、「０１００１１１１００１０」、「１０１０１１１１１１００」、「１１１０１１０１０１０１」、「００１１１０１１１１１０」、「０１１１１００１０１１１」、「１１１１１０１０１００１」、「１０１１１０００００００」、「０１１０１１１０１０１１」、「００１０１１００００１０」、「１００１１１００１１１１」、「１１０１１１１００１１０」、「００００１０００１１０１」、「０１００１０１００１００」、「１１００１００１１０１０」、「１０００１０１１００１１」、「０１０１１１０１１０００」、「０００１１１１１０００１」、「１０１０１１００１００１」、「１１１０１１１０００００」、「００１１１０００１０１１」、「０１１１１０１０００１０」、「１００１１１１１１０１０」、「１１０１１１０１００１１」、「００００１０１１１０００」、「０１００１００１０００１」、「１１１１１００１１１００」、「１０１１１０１１０１０１」、「０１１０１１０１１１１０」、「００１０１１１１０１１１」、「１０１０１００１１１１１」、「１１１０１０１１０１１０」、「００１１１１０１１１０１」、「０１１１１１１１０１００」、「１１１１１１００１０１０」、「１０１１１１１０００１１」、「０１１０１０００１０００」、「００１０１０１００００１」、「１１００１０１０１１１１」、「１０００１００００１１０」、「０１０１１１１０１１０１」、「０００１１１０００１００」、「１００１１０１０１１００」、「１１０１１００００１０１」、「００００１１１０１１１０」、「０１００１１０００１１１」、「１１００１１１１１００１」、「１０００１１０１００００」、「０１０１１０１１１０１１」及び「０００１１００１００１０」を含むことを特徴とする請求項１８または１９に記載の方法。
【請求項２１】
前記シーケンスは、時間軸及びシンボル軸でサイズ６×２の３個の資源ブロックの集合にマッピングされ、
前記資源ブロックの第１集合にマッピングされたシーケンスは、周波数軸の第一行で第０要素、第２要素、第４要素、第６要素、第８要素及び第１０要素の順に、周波数軸の第二行で第１要素、第３要素、第５要素、第７要素、第９要素及び第１１要素の順にマッピングされており、
前記資源ブロックの第２集合にマッピングされたシーケンスは、周波数軸の第一行で第９要素、第１１要素、第４要素、第０要素、第２要素及び第７要素の順に、周波数軸の第二行で第１０要素、第３要素、第５要素、第１要素、第６要素及び第８要素の順にマッピングされており、
前記資源ブロックの第３集合にマッピングされたシーケンスは、周波数軸の第一行で第３要素、第５要素、第７要素、第９要素、第１１要素及び第１要素の順に、周波数軸の第二行で第４要素、第６要素、第８要素、第１０要素、第０要素及び第２要素の順にマッピングされていることを特徴とする請求項１８乃至２０のいずれか１項に記載の方法。
【請求項２２】
前記インデックスを決定するステップは、
前記高速フィードバック・チャンネル内のそれぞれの資源ブロックの集合から複素シンボルを抽出するステップと、
それぞれの資源ブロックの集合から抽出された複素シンボルを前記それぞれの資源ブロックの集合のマッピング・パターンによって整列することによって、資源ブロックの集合別のシーケンスを構成するステップと、
前記資源ブロックの集合別のシーケンス及び候補シーケンスに対する相関演算を通じて送信されたシーケンスを判断するための情報を生成するステップと、
前記シーケンスを判断するための情報を利用して前記送信されたシーケンスを判断するステップと、
前記送信されたシーケンスに対応するコードワードをフィードバック情報として選択するステップと、を含むことを特徴とする請求項１８に記載の方法。
【請求項２３】
前記送信されたシーケンスを判断するための情報を生成するステップは、
前記資源ブロックの集合から抽出されたシーケンスのそれぞれと前記候補シーケンスのそれぞれの相関値を算出するステップと、
前記相関値のそれぞれの二乗値を算出するステップと、を含み、
前記伝送されたシーケンスを判断するステップは、
同一の候補シーケンスを利用して算出された二乗相関値を合算するステップと、
合算結果値のうち最大値を検索するステップと、
前記最大値に対応するシーケンスが送信されたと判断するステップと、を含むことを特徴とする請求項２２に記載の方法。
【請求項２４】
前記送信されたシーケンスを判断するための情報を生成するステップは、
前記資源ブロックの集合から抽出されたシーケンスを構成する直交副シーケンスのそれぞれと前記候補直交副シーケンスのそれぞれの相関値を算出するステップと、
前記直交副シーケンスのそれぞれの相関値を利用して前記送信されたシーケンスのインデックス組合わせを検出するステップと、
前記直交副シーケンスのそれぞれの相関値を利用して前記送信されたシーケンスに適用された位相差ベクトルを検出するステップと、を含み、
前記伝送されたシーケンスを判断するステップは、
前記インデックス組合わせに対応する直交副シーケンスから構成され、前記位相差ベクトルが適用されたシーケンスが送信されたと判断するステップと、を含むことを特徴とする請求項２２に記載の方法。
【請求項２５】
前記インデックス組合わせを検出するステップは、
前記直交副シーケンスの相関値のそれぞれの二乗値を算出するステップと、
同一の位置の直交副シーケンスの二乗相関値のうち、同一の候補直交副シーケンスを利用して算出された二乗相関値を合算するステップと、
前記合算結果値のうち直交副搬送波の位置別の最大値を検索するステップと、
前記最大値に対応するインデックス組合わせを確認するステップと、を含むことを特徴とする請求項２４に記載の方法。
【請求項２６】
前記位相差ベクトルを検出するステップは、
前記直交副シーケンスの相関値に位相差ベクトルを乗算し、同一の資源ブロックの集合に含まれる相関値を合算するステップと、
前記位相差ベクトルと乗算された相関値の和の二乗値を算出するステップと、
前記二乗値を合算するステップと、
使用可能な位相差ベクトルのそれぞれから算出された二乗値の和のうち最大値を検索するステップと、
前記最大値に対応する位相差ベクトルを確認するステップと、を含むことを特徴とする請求項２４に記載の方法。